(57)【要約】【課題】より快適かつ安全なオーバーシューズを提供する。【解決手段】インナーシューズを履いたまま、このインナーシューズの上から装着し、汚染場所における作業の際に、有毒ガス、有毒液、有毒粒子、その他の有毒物質の内部への侵入を防止するオーバーシューズであって、靴底部１０１と、靴底部１０１から上方に向けて設けられるアッパー部１０２とを備え、靴底部１０１およびアッパー部１０２は、ハロゲン化ブチルゴムを含む部材により構成されている。【選択図】図１
2020005860.tif 000002
【特許請求の範囲】
【請求項１】
インナーシューズを履いたまま、前記インナーシューズの上から装着し、汚染場所における作業の際に、有毒ガス、有毒液、有毒粒子、その他の有毒物質の内部への侵入を防止するオーバーシューズであって、
靴底部と、
前記靴底部から上方に向けて設けられるアッパー部と、を備え、
前記靴底部および前記アッパー部は、ハロゲン化ブチルゴムを含む部材により構成されている、オーバーシューズ。
【請求項２】
前記アッパー部の少なくとも、つま先から脚側面に至る領域は、ハロゲン化ブチルゴムを含むシート部材が２重に設けられている、請求項１に記載のオーバーシューズ。
【請求項３】
前記アッパー部の少なくとも、つま先から脚側面および甲を含む領域は、ハロゲン化ブチルゴムを含むシート部材が２重に設けられている、請求項２に記載のオーバーシューズ。
【請求項４】
前記アッパー部の全ての領域は、ハロゲン化ブチルゴムを含むシート部材が２重に設けられている、請求項３に記載のオーバーシューズ。
【請求項５】
前記アッパー部の前方部分には、前記アッパー部を左右に開放するための線ファスナーが設けられ、
前記線ファスナーの内側には、左右に開放された前記アッパー部から内部への水分の侵入を防止する水除け部材が設けられ、
前記水除け部材は、ハロゲン化ブチルゴムを含む部材により構成されている、請求項１から請求項４のいずれか１項に記載のオーバーシューズ。
【請求項６】
前記アッパー部の外側には、両側面および前面を取り囲むように締め具が設けられ、
前記締め具は、その長さ調整が可能に設けられている、請求項１から請求項５のいずれか１項に記載のオーバーシューズ。
【請求項７】
踵部には、スキーベルト止め具が設けられている、請求項１から請求項６のいずれか１項に記載のオーバーシューズ。
【請求項８】
履き口には、履き口部材が設けられ、
前記履き口部材は、ハロゲン化ブチルゴムを含む部材により構成されている、請求項１から請求項７のいずれか１項に記載のオーバーシューズ。
【発明の詳細な説明】
【技術分野】
【０００１】
本発明は、ブーツの形態を有するオーバーシューズの構造に関する。
【背景技術】
【０００２】
有害な物質が存在する状況の中で作業を行なう場合、作業者は安全靴等のインナーシューズの上からブーツの形態を有するオーバーシューズを装着する。たとえば、特表２０１５−５２１５０３号公報（特許文献１）には、伸縮可能な開口部を有するオーバーシューズが開示されている。
【先行技術文献】
【特許文献】
【０００３】
【特許文献１】特表２０１５−５２１５０３号公報
【発明の概要】
【発明が解決しようとする課題】
【０００４】
近年、装着者の利便性を考慮し、より快適かつ安全なオーバーシューズの開発が求められている。
【０００５】
この発明の目的は、上記課題に鑑みてなされたものであって、より快適かつ安全なオーバーシューズを提供することにある。
【課題を解決するための手段】
【０００６】
このオーバーシューズにおいては、インナーシューズを履いたまま、上記インナーシューズの上から装着し、汚染場所における作業の際に、有毒ガス、有毒液、有毒粒子、その他の有毒物質の内部への侵入を防止するオーバーシューズであって、靴底部と、上記靴底部から上方に向けて設けられるアッパー部とを備え、上記靴底部および上記アッパー部は、ハロゲン化ブチルゴムを含む部材により構成されている。
【０００７】
他の形態においては、上記アッパー部の少なくとも、つま先から脚側面に至る領域は、ハロゲン化ブチルゴムを含むシート部材が２重に設けられている。
【０００８】
他の形態においては、上記アッパー部の少なくとも、つま先から脚側面および甲を含む領域は、ハロゲン化ブチルゴムを含むシート部材が２重に設けられている。
【０００９】
他の形態においては、上記アッパー部の全ての領域は、ハロゲン化ブチルゴムを含むシート部材が２重に設けられている。
【００１０】
他の形態においては、上記アッパー部の前方部分には、上記アッパー部を左右に開放するための線ファスナーが設けられ、上記線ファスナーの内側には、左右に開放された上記アッパー部から内部への水分の侵入を防止する水除け部材が設けられ、上記水除け部材は、ハロゲン化ブチルゴムを含む部材により構成されている。
【００１１】
他の形態においては、上記アッパー部の外側には、両側面および前面を取り囲むように締め具が設けられ、上記締め具は、その長さ調整が可能に設けられている。
【００１２】
他の形態においては、踵部には、スキーベルト止め具が設けられている。
他の形態においては、履き口には、履き口部材が設けられ、上記履き口部材は、ハロゲン化ブチルゴムを含む部材により構成されている。
【発明の効果】
【００１３】
このオーバーシューズによれば、より快適かつ安全なオーバーシューズの提供を可能とする。
【図面の簡単な説明】
【００１４】
【図１】実施の形態１における右脚用オーバーシューズの斜視図である。
【図２】実施の形態１における右脚用オーバーシューズの正面図である。
【図３】実施の形態１における右脚用オーバーシューズの右側面図である。
【図４】実施の形態１における右脚用オーバーシューズの左側面図である。
【図５】実施の形態１における右脚用オーバーシューズの平面図である。
【図６】実施の形態１における右脚用オーバーシューズの背面図である。
【図７】実施の形態１における右脚用オーバーシューズの底面図である。
【図８】実施の形態１におけるオーバーシューズに用いられるシート部材の材料配合比率を示す図である。
【図９】図１中のＩＸ−ＩＸ線部分の縦断面図である。
【図１０】実施の形態１における右脚用オーバーシューズのファスナを開いた状態を示す正面図である。
【図１１】実施の形態２における右脚用オーバーシューズの斜視図である。
【図１２】実施の形態３における右脚用オーバーシューズの斜視図である。
【発明を実施するための形態】
【００１５】
本発明に基づいた実施の形態のオーバーシューズについて、以下、図面を参照しながら説明する。以下に説明する各実施の形態において、個数、量などに言及する場合、特に記載がある場合を除き、本発明の範囲は必ずしもその個数、量などに限定されない。同一の部品、相当部品に対しては、同一の参照番号を付し、重複する説明は繰り返さない場合がある。実施の形態における構成を適宜組み合わせて用いることは当初から予定されていることである。図においては、実際の寸法比率では記載しておらず、構造の理解を容易にするために、一部比率を異ならせて記載している。
【００１６】
オーバーシューズ１は、使用時は左右一対で使用し、左右対称の形態を有していることから、以下では、右脚用のオーバーシューズ１についてのみ説明する。
【００１７】
（実施の形態１：オーバーシューズ１）
図１から図７を参照して、本実施の形態のオーバーシューズ１の構成について説明する。図１から図７は、右脚用オーバーシューズの斜視図、正面図、右側面図、左側面図、平面図、背面図、および、底面図である。
【００１８】
オーバーシューズ１は、作業者がインナーシューズを履いたまま、インナーシューズの上から装着し、汚染場所における作業の際に、有毒ガス、有毒液、有毒粒子、その他の有毒物質の内部への侵入を防止する。
【００１９】
オーバーシューズ１は、ブーツの形態を有し、靴底部１０１と、この靴底部１０１から上方に向けて設けられるアッパー部１０２とを備える。アッパー部１０２は、作業者の踵から甲を取り囲むとともに、すね（脛）およびふくらはぎ（脹脛）を取り囲む形態を有している。アッパー部１０２の長さは、図示する長さに限定されることなく、ショートブーツ（くるぶしを覆う程度の長さ）、ロングブーツ（ひざを覆う程度の長さ）の形態であってもよい。
【００２０】
アッパー部１０２の前方部分には、アッパー部１０２を左右に開放するための線ファスナー１２０が設けられている。アッパー部１０２を左右に開放した状態については、後述する。線ファスナー１２０の内側には、左右に開放されたアッパー部１０２から内部への水分の侵入を防止する水除け部材１３０が設けられている。
【００２１】
アッパー部１０２の外側には、両側面および前面を取り囲むように締め具１１０が設けられ、締め具１１０は、その長さ調整が可能に設けられている、締め具１１０の構成については、後述する。
【００２２】
アッパー部１０２の履き口には、履き口部材１６０が、履き口の全周に設けられている。アッパー部１０２の上端は、アッパー部１０２を構成するシート状の部材の端部が露出することから、アッパー部１０２の上端を履き口部材１６０により覆うことで、アッパー部１０２の上端の強度を高めることができる。
【００２３】
アッパー部１０２の上端近傍であって、線ファスナー１２０の外側の位置には、外面から突出する凸部１４０が設けられている。この凸部１４０を設けておくことで、オーバーシューズ１を目視することなく、右用であることを容易に確認することができる。
【００２４】
アッパー部１０２の踵部には、スキーベルト止め具１５０が設けられている。雪上において、オーバーシューズ１にスキー板を固定する場合、スキー板に設けられたベルト部材が、このスキーベルト止め具１５０に巻き付けられる。
【００２５】
図８および図９を参照して、オーバーシューズ１に用いられる部材の構成について説明する。図８は、オーバーシューズ１に用いられるシート部材の材料配合比率を示す図、図９は、図１中のＩＸ−ＩＸ線部分の縦断面図である。
【００２６】
オーバーシューズ１を構成する靴底部１０１およびアッパー部１０２は、全てハロゲン化ブチルゴム（原料ゴム）を含む部材により構成されている。図８に示す配合比率を採用した部材をオーバーシューズ１に採用することで、従来のクロロプレンゴムを用いたオーバーシューズに対して、有毒ガス、有毒液、有毒粒子、その他の有毒物質の内部への侵入を効果的に防止する。さらに、オーバーシューズ１の軽量化を図るとともに、折り畳み時における皺の発生を抑制することも可能とする。
【００２７】
図８に示す配合は一例であり、原料ゴムは、配合全体の３０％〜６０％の範囲が好ましく、４０％〜５０％の範囲がより好ましい。充填剤（補強剤）やその他配合剤の増量により、原料ゴムの相対比率が３０％以下となった場合は耐ガス透過性が低下する。充填剤の減量により、原料ゴムの相対比率が６０％以上となった場合は、機械的強度が低下する。
【００２８】
充填剤（補強剤）の範囲は、好ましくは２０％〜５０％、より好ましくは３０％〜４０％である。可塑剤は一般的に１０％程度で使用するが、本実施の形態の配合では１０％以下で使用する。１０％を超える場合、耐ガス透過性が著しく低下する。５％以下がより好ましい。
【００２９】
可塑剤の添加量過多により、耐ガス透過性の低下および加工性の悪化が起こるため、本配合では１０％以下で使用する。より好ましくは、５％以下で使用する。
【００３０】
他の配合物は、耐ガス透過性が向上する範囲、また、耐熱、耐寒、耐候性が良好になる範囲で、適宜添加するのが好ましい。
【００３１】
本実施の形態におけるオーバーシューズ１のアッパー部１０２は、図１から図７に示したように、下段部１０３と上段部１０４とに分けることができ、下段部１０３と上段部１０４との境界領域には、境界線Ｌ１が現れている。おおよそアッパー部１０２の高さの下から３分の１程度の高さ位置に境界線Ｌ１が現れている。
【００３２】
これは、図９に示すように、作業者のつま先から脚側面に至る領域、さらに、甲を含む領域は、ハロゲン化ブチルゴムを含むシート部材１２およびシート部材１３が２重に設けられており、シート部材１３の折り目が境界線Ｌ１として現れている。シート部材１２およびシート部材１３はゴム糊等の接着剤によりゴム引布１１に弾性変形可能なように固着されている。
【００３３】
ハロゲン化ブチルゴムを含むシート部材１２の厚さは、０．４ｍｍ〜０．７ｍｍ程度、シート部材１３の厚さは、０．７ｍｍ〜１．０ｍｍ程度、および、ゴム引布１１の厚さは、０．４ｍｍ〜０．５ｍｍ程度である。
【００３４】
このように、アッパー部１０２の下段部１０３を２重構造とすることで、下段部１０３における、有毒ガス、有毒液、有毒粒子、その他の有毒物質の内部への侵入をより効果的に防止することができる。
【００３５】
図１０を参照して、アッパー部１０２を左右に開放した状態、および、締め具１１０の構成について説明する。線ファスナー１２０は、スライダ１２０ａおよびエレメント（務歯）１２０ｂを含み、スライダ１２０ａをエレメント（務歯）１２０ｂに沿って下方に下降させることで、アッパー部１０２が大きく左右に開放する。これにより、作業者はインナシューズを履いたままで、このオーバーシューズ１を無理なく履くことができる。
【００３６】
アッパー部１０２の内側には、水除け部材１３０が設けられている。水除け部材１３０の左右端は、アッパー部１０２の内側に固定されている。水除け部材１３０は、折り曲げ線１３０ａで折り畳まれた状態で、オーバーシューズ１内に収容されている。アッパー部１０２を大きく左右に開放すると同時に、水除け部材１３０も大きく開放された状態となる。
【００３７】
締め具１１０は、オーバーシューズ１の下段部１０３の両側に設けられた固定片１０５および固定片１０７に固定されている。固定片１０５には長さ調整部１１３およびバックル１１１が固定され、固定片１０７には、長さ調整部１１３およびベルト１１５が固定されている。
【００３８】
バックル１１１は、雄バックル１１１ａと雌バックル１１１ｂとを含む。雄バックル１１１ａと雌バックル１１１ｂとは、相互に着脱可能に設けられている。図１および図２に良く表れるように、ベルト１１５の表面と雌バックル１１１ｂとの間にラチェット機構が採用され、ベルト１１５を締め付けるとその締付位置が維持される。これにより、比較的重装備状態の作業者においても、容易かつ迅速にオーバーシューズ１の装着および締付作業を行なうことができる。
【００３９】
以上、本実施の形態におけるオーバーシューズ１によれば、全てハロゲン化ブチルゴム（原料ゴム）を含む部材により構成されている。この構成により、有毒ガス、有毒液、有毒粒子、その他の有毒物質の内部への侵入を効果的に防止する。さらに、オーバーシューズ１の軽量化を図るとともに、折り畳み時における皺の発生を抑制することも可能とする。
【００４０】
（実施の形態２：オーバーシューズ１Ａ）
図１１を参照して、本実施の形態におけるオーバーシューズ１Ａの構成について説明する。図１１は、オーバーシューズ１Ａの斜視図である。
【００４１】
このオーバーシューズ１Ａの基本的構成は、上記実施の形態１におけるオーバーシューズ１と同じである。相違点は、オーバーシューズ１のアッパー部１０２において、下段部１０３と上段部１０４との境界領域に現れる境界線Ｌ１の位置が異なる点にある。オーバーシューズ１Ａは、つま先から脚側面に至る領域において、シート部材１２およびシート部材１３が２重に設けられている。
【００４２】
オーバーシューズ１Ａに要求される性能に応じて、シート部材１２およびシート部材１３を２重に設ける領域を適宜変更することができる。
【００４３】
（実施の形態３：オーバーシューズ１Ｂ）
図１２を参照して、本実施の形態におけるオーバーシューズ１Ｂの構成について説明する。図１２は、オーバーシューズ１Ｂの斜視図である。
【００４４】
このオーバーシューズ１Ｂの基本的構成は、上記実施の形態１におけるオーバーシューズ１と同じである。相違点は、オーバーシューズ１のアッパー部１０２において、下段部１０３と上段部１０４との境界領域に現れる境界線Ｌ１が設けられていない。このオーバーシューズ１Ｂは、アッパー部１０２の全体にわたって、シート部材１２およびシート部材１３が２重に設けられている。
【００４５】
オーバーシューズ１Ｂにおいても同様に要求される性能に応じて、シート部材１２およびシート部材１３を２重に設ける領域を適宜変更することができる。
【００４６】
各実施の形態において、ハロゲン化ブチルゴムを用いている。ハロゲン化ブチルゴムには、クロロブチルゴム、臭素化ブチルゴムが挙げられる。これらは、単独で使用してもよく、ブレンドして用いてもよい。各実施の形態においては、クロロブチルゴムがより好ましい。
【００４７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００４８】
１，１Ａ，１Ｂ  オーバーシューズ、１１  ゴム引布、１２，１３  シート部材、１０１  靴底部、１０２  アッパー部、１０３  下段部、１０４  上段部、１０５，１０７  固定片、１１０  締め具、１１１  バックル、１１１ａ  雄バックル、１１１ｂ  雌バックル、１１３  長さ調整部、１１５  ベルト、１２０  線ファスナー、１２０ａ  スライダ、１３０  部材、１３０ａ  折り曲げ線、１４０  凸部、１５０  スキーベルト止め具、１６０  履き口部材、Ｌ１  境界線。
【図１】
2020005860.tif 000003
【図２】
2020005860.tif 000004
【図３】
2020005860.tif 000005
【図４】
2020005860.tif 000006
【図５】
2020005860.tif 000007
【図６】
2020005860.tif 000008
【図７】
2020005860.tif 000009
【図８】
2020005860.tif 000010
【図９】
2020005860.tif 000011
【図１０】
2020005860.tif 000012
【図１１】
2020005860.tif 000013
【図１２】
2020005860.tif 000014